(57)【特許請求の範囲】
【請求項１】
ハードウェア処理回路を備える進化型ノードＢ（ｅＮＢ）であって、
情報をマシン型通信（ＭＴＣ）ユーザ機器（ＵＥ）に送信すべく、前記ｅＮＢに対する帯域幅内の利用可能ないくつかのリソースブロック群（ＲＢＧ）サブセットを計算し、
前記ＭＴＣ  ＵＥに対する無線ネットワーク一時識別子（ＲＮＴＩ）、及び利用可能な前記いくつかのＲＢＧサブセットに基づいて、前記ＭＴＣ  ＵＥに対する論理ＲＢＧインデックスを計算し、
前記論理ＲＢＧインデックスをいくつかの物理ＲＢＧにマッピングすべく、複数のマッピング関数の中から１つのマッピング関数を選択し、
前記マッピング関数を用いて、前記論理ＲＢＧインデックスを前記いくつかの物理ＲＢＧにマッピングし、
情報を前記ＭＴＣ  ＵＥに送信すべく、前記いくつかの物理ＲＢＧの数の少なくとも１つのサブセットを用いる、ｅＮＢ。
【請求項２】
前記マッピング関数は、連続であるべき前記いくつかの物理ＲＢＧを選択する、請求項１に記載のｅＮＢ。
【請求項３】
前記マッピング関数は、前記物理ＲＢＧの少なくともいくつかが連続しないように、前記いくつかの物理ＲＢＧを選択する、請求項１又は２に記載のｅＮＢ。
【請求項４】
前記マッピング関数は、
ＰＲＢに対するインデックス＝ＩＲＢＧ×ＲＢＧＮＥＥＤ＋ｉであって、
式中、ＩＲＢＧは、前記論理ＲＢＧインデックスであって、
ＲＢＧＮＥＥＤは、情報を前記ＭＴＣ  ＵＥに送信するのに必要とされる複数のＲＢＧサブセットの数であって、
ｉは、ゼロからＲＢＧＮＥＥＤ−１までである、形からなる、請求項１から３の何れか１項に記載のｅＮＢ。
【請求項５】
前記マッピング関数は、
ＰＲＢに対するインデックス＝ＩＲＢＧ＋ｉ×ＲＢＧＳＵＢであって、
式中、ＩＲＢＧは、前記論理ＲＢＧインデックスであって、
ＲＢＧＳＵＢは、情報を前記ＭＴＣ  ＵＥに送信すべく、前記ｅＮＢに対する前記帯域幅内の前記利用可能な複数のＲＢＧサブセットの数であって、
ｉは、ゼロから、情報を送信するのに必要とされる複数のＲＢＧサブセットの数−１までである、形からなる、請求項１から４の何れか１項に記載のｅＮＢ。
【請求項６】
前記ＲＮＴＩは、
セル無線ネットワーク一時識別子（Ｃ−ＲＮＴＩ）と、
ランダムアクセスネットワーク一時識別子（ＲＡ−ＲＮＴＩ）と、
ページングネットワーク一時識別子（Ｐ−ＲＮＴＩ）、又は
時間メトリックに基づいて変化する時変ＲＮＴＩ、
のうち１又は複数を備える、請求項１から５の何れか１項に記載のｅＮＢ。
【請求項７】
前記時間メトリックは、無線フレーム、サブフレーム、又はスロットのうちの少なくとも１つを備える、請求項６に記載のｅＮＢ。
【請求項８】
前記時変ＲＮＴＩは、前のＲＮＴＩ、及び前記時間メトリックに依存する疑似ランダム関数の出力である、請求項６又は７に記載のｅＮＢ。
【請求項９】
前記時間メトリックは、無線フレーム、サブフレーム、又はスロットのうちの少なくとも１つを備える、請求項８に記載のｅＮＢ。
【請求項１０】
前記時変ＲＮＴＩは、
ＲＮＴＩｋ=Ａ×ＲＮＴＩｋ−１  ｍｏｄ  Ｄであって、
式中、Ａ＝３９８２７であって、
Ｄ＝６５５３７であって、
ｋは、前記時間メトリックを表す、式を用いて計算される、請求項６から９の何れか１項に記載のｅＮＢ。
【請求項１１】
ＲＮＴＩｋは、どの時間メトリックが用いられるかに応じて、ｋ番目の無線フレーム、サブフレーム、又はスロットに対する前記ＲＮＴＩを表し、ＲＮＴＩ０は非ゼロである、請求項１０に記載のｅＮＢ。
【請求項１２】
複数の信号を送信及び受信の少なくとも一方をすべくアンテナを更に備え、前記ハードウェア処理回路は、前記アンテナに結合された送受信機を備える、請求項１から１１の何れか１項に記載のｅＮＢ。
【請求項１３】
ハードウェア処理回路を備える進化型ノードＢ（ｅＮＢ）であって、
情報をマシン型通信（ＭＴＣ）ユーザ機器（ＵＥ）に送信すべく、前記ｅＮＢに対する帯域幅内の利用可能ないくつかのリソースブロック群（ＲＢＧ）サブセットを計算し、
前記ＭＴＣ  ＵＥに対する無線ネットワーク一時識別子（ＲＮＴＩ）、及び利用可能な前記いくつかのＲＢＧサブセットに基づいて、前記ＭＴＣ  ＵＥに対する論理ＲＢＧインデックスを計算し、
マッピング関数を用いて、前記論理ＲＢＧインデックスをいくつかの物理ＲＢＧにマッピングし、
情報を前記ＭＴＣ  ＵＥに送信すべく、前記いくつかの物理ＲＢＧの数の少なくとも１つのサブセットを用い、
前記マッピング関数は、
ＰＲＢに対するインデックス＝ＩＲＢＧ×ＲＢＧＮＥＥＤ＋ｉであって、
式中、ＩＲＢＧは、前記論理ＲＢＧインデックスであって、
ＲＢＧＮＥＥＤは、情報を前記ＭＴＣ  ＵＥに送信するのに必要とされる複数のＲＢＧサブセットの数であって、
ｉは、ゼロからＲＢＧＮＥＥＤ−１までである、形からなる、ｅＮＢ。
【請求項１４】
ハードウェア処理回路を備える進化型ノードＢ（ｅＮＢ）であって、
情報をマシン型通信（ＭＴＣ）ユーザ機器（ＵＥ）に送信すべく、前記ｅＮＢに対する帯域幅内の利用可能ないくつかのリソースブロック群（ＲＢＧ）サブセットを計算し、
前記ＭＴＣ  ＵＥに対する無線ネットワーク一時識別子（ＲＮＴＩ）、及び利用可能な前記いくつかのＲＢＧサブセットに基づいて、前記ＭＴＣ  ＵＥに対する論理ＲＢＧインデックスを計算し、
マッピング関数を用いて、前記論理ＲＢＧインデックスをいくつかの物理ＲＢＧにマッピングし、
情報を前記ＭＴＣ  ＵＥに送信すべく、前記いくつかの物理ＲＢＧの数の少なくとも１つのサブセットを用い、
前記マッピング関数は、
ＰＲＢに対するインデックス＝ＩＲＢＧ＋ｉ×ＲＢＧＳＵＢであって、
式中、ＩＲＢＧは、前記論理ＲＢＧインデックスであって、
ＲＢＧＳＵＢは、情報を前記ＭＴＣ  ＵＥに送信すべく、前記ｅＮＢに対する前記帯域幅内の前記利用可能な複数のＲＢＧサブセットの数であって、
ｉは、ゼロから、情報を送信するのに必要とされる複数のＲＢＧサブセットの数−１までである、形からなる、ｅＮＢ。
【請求項１５】
ハードウェア処理回路を備える進化型ノードＢ（ｅＮＢ）であって、
情報をマシン型通信（ＭＴＣ）ユーザ機器（ＵＥ）に送信すべく、前記ｅＮＢに対する帯域幅内の利用可能ないくつかのリソースブロック群（ＲＢＧ）サブセットを計算し、
前記ＭＴＣ  ＵＥに対する無線ネットワーク一時識別子（ＲＮＴＩ）、及び利用可能な前記いくつかのＲＢＧサブセットに基づいて、前記ＭＴＣ  ＵＥに対する論理ＲＢＧインデックスを計算し、
マッピング関数を用いて、前記論理ＲＢＧインデックスをいくつかの物理ＲＢＧにマッピングし、
情報を前記ＭＴＣ  ＵＥに送信すべく、前記いくつかの物理ＲＢＧの数の少なくとも１つのサブセットを用い、
前記ＲＮＴＩは、セル無線ネットワーク一時識別子（Ｃ−ＲＮＴＩ）と、ランダムアクセスネットワーク一時識別子（ＲＡ−ＲＮＴＩ）と、ページングネットワーク一時識別子（Ｐ−ＲＮＴＩ）、又は時間メトリックに基づいて変化する時変ＲＮＴＩのうち１又は複数を備え、
前記時間メトリックは、無線フレーム、サブフレーム、又はスロットのうちの少なくとも１つを備える、ｅＮＢ。
【請求項１６】
ハードウェア処理回路を備える進化型ノードＢ（ｅＮＢ）であって、
情報をマシン型通信（ＭＴＣ）ユーザ機器（ＵＥ）に送信すべく、前記ｅＮＢに対する帯域幅内の利用可能ないくつかのリソースブロック群（ＲＢＧ）サブセットを計算し、
前記ＭＴＣ  ＵＥに対する無線ネットワーク一時識別子（ＲＮＴＩ）、及び利用可能な前記いくつかのＲＢＧサブセットに基づいて、前記ＭＴＣ  ＵＥに対する論理ＲＢＧインデックスを計算し、
マッピング関数を用いて、前記論理ＲＢＧインデックスをいくつかの物理ＲＢＧにマッピングし、
情報を前記ＭＴＣ  ＵＥに送信すべく、前記いくつかの物理ＲＢＧの数の少なくとも１つのサブセットを用い、
前記ＲＮＴＩは、セル無線ネットワーク一時識別子（Ｃ−ＲＮＴＩ）と、ランダムアクセスネットワーク一時識別子（ＲＡ−ＲＮＴＩ）と、ページングネットワーク一時識別子（Ｐ−ＲＮＴＩ）、又は時間メトリックに基づいて変化する時変ＲＮＴＩのうち１又は複数を備え、
前記時変ＲＮＴＩは、前のＲＮＴＩ、及び前記時間メトリックに依存する疑似ランダム関数の出力である、ｅＮＢ。
【請求項１７】
ハードウェア処理回路を備える進化型ノードＢ（ｅＮＢ）であって、
情報をマシン型通信（ＭＴＣ）ユーザ機器（ＵＥ）に送信すべく、前記ｅＮＢに対する帯域幅内の利用可能ないくつかのリソースブロック群（ＲＢＧ）サブセットを計算し、
前記ＭＴＣ  ＵＥに対する無線ネットワーク一時識別子（ＲＮＴＩ）、及び利用可能な前記いくつかのＲＢＧサブセットに基づいて、前記ＭＴＣ  ＵＥに対する論理ＲＢＧインデックスを計算し、
マッピング関数を用いて、前記論理ＲＢＧインデックスをいくつかの物理ＲＢＧにマッピングし、
情報を前記ＭＴＣ  ＵＥに送信すべく、前記いくつかの物理ＲＢＧの数の少なくとも１つのサブセットを用い、
前記ＲＮＴＩは、セル無線ネットワーク一時識別子（Ｃ−ＲＮＴＩ）と、ランダムアクセスネットワーク一時識別子（ＲＡ−ＲＮＴＩ）と、ページングネットワーク一時識別子（Ｐ−ＲＮＴＩ）、又は時間メトリックに基づいて変化する時変ＲＮＴＩのうち１又は複数を備え、
前記時変ＲＮＴＩは、
ＲＮＴＩｋ=Ａ×ＲＮＴＩｋ−１  ｍｏｄ  Ｄであって、
式中、Ａ＝３９８２７であって、
Ｄ＝６５５３７であって、
ｋは、前記時間メトリックを表す、式を用いて計算される、ｅＮＢ。
【請求項１８】
進化型ノードＢ（ｅＮＢ）によって実行される方法であって、
情報をマシン型通信（ＭＴＣ）ユーザ機器（ＵＥ）に送信すべく、前記ｅＮＢに対する帯域幅内の利用可能ないくつかのリソースブロック群（ＲＢＧ）サブセットを計算する段階と、
前記ＭＴＣ  ＵＥに対する無線ネットワーク一時識別子（ＲＮＴＩ）、及び前記利用可能ないくつかのＲＢＧサブセットに基づいて、前記ＭＴＣ  ＵＥに対する論理ＲＢＧインデックスを計算する段階と、
前記論理ＲＢＧインデックスをいくつかの物理ＲＢＧにマッピングすべく、複数のマッピング関数の中から１つのマッピング関数を選択する段階と、
前記マッピング関数を用いて、前記論理ＲＢＧインデックスを前記いくつかの物理ＲＢＧにマッピングする段階と、
情報を前記ＭＴＣ  ＵＥに送信すべく、前記いくつかの物理ＲＢＧの少なくとも１つのサブセットを用いる段階と
を備える方法。
【請求項１９】
前記マッピング関数は、連続であるべき前記いくつかの物理ＲＢＧを選択する、請求項１８に記載の方法。
【請求項２０】
前記マッピング関数は、前記物理ＲＢＧの少なくともいくつかが連続しないように、前記いくつかの物理ＲＢＧを選択する、請求項１８又は１９に記載の方法。
【請求項２１】
前記ＲＮＴＩは、
セル無線ネットワーク一時識別子（Ｃ−ＲＮＴＩ）と、
ランダムアクセスネットワーク一時識別子（ＲＡ−ＲＮＴＩ）と、
ページングネットワーク一時識別子（Ｐ−ＲＮＴＩ）、又は
無線フレーム、サブフレーム、又はスロットのうちの少なくとも１つを備える時間メトリックに基づいて変化する時変ＲＮＴＩ、
のうち１又は複数を備える、請求項１８から２０の何れか１項に記載の方法。
【請求項２２】
前記時変ＲＮＴＩは、前のＲＮＴＩ、及び前記時間メトリックに依存する疑似ランダム関数の出力である、請求項２１に記載の方法。
【請求項２３】
進化型ノードＢ（ｅＮＢ）によって実行される方法であって、
情報をマシン型通信（ＭＴＣ）ユーザ機器（ＵＥ）に送信すべく、前記ｅＮＢに対する帯域幅内の利用可能ないくつかのリソースブロック群（ＲＢＧ）サブセットを計算する段階と、
前記ＭＴＣ  ＵＥに対する無線ネットワーク一時識別子（ＲＮＴＩ）、及び前記利用可能ないくつかのＲＢＧサブセットに基づいて、前記ＭＴＣ  ＵＥに対する論理ＲＢＧインデックスを計算する段階と、
複数のマッピング関数の中から、マッピング関数を選択する段階と、
前記マッピング関数を用いて、前記論理ＲＢＧインデックスをいくつかの物理ＲＢＧにマッピングする段階と、
情報を前記ＭＴＣ  ＵＥに送信すべく、前記いくつかの物理ＲＢＧの少なくとも１つのサブセットを用いる段階と
を備え、
前記ＲＮＴＩは、セル無線ネットワーク一時識別子（Ｃ−ＲＮＴＩ）と、ランダムアクセスネットワーク一時識別子（ＲＡ−ＲＮＴＩ）と、ページングネットワーク一時識別子（Ｐ−ＲＮＴＩ）、又は無線フレーム、サブフレーム、又はスロットのうちの少なくとも１つを備える時間メトリックに基づいて変化する時変ＲＮＴＩのうち１又は複数を備え、
前記時変ＲＮＴＩは、前のＲＮＴＩ、及び前記時間メトリックに依存する疑似ランダム関数の出力である、方法。
【請求項２４】
ハードウェア処理回路を備えるユーザ機器（ＵＥ）であって、
情報を前記ＵＥに送信すべく、進化型ノードＢ（ｅＮＢ）に対する帯域幅内の利用可能ないくつかのリソースブロック群（ＲＢＧ）サブセットを計算し、
前記ＵＥに対する無線ネットワーク一時識別子（ＲＮＴＩ）、及び前記利用可能ないくつかのＲＢＧサブセットに基づいて、前記ＵＥに対する論理ＲＢＧインデックスを計算し、
前記論理ＲＢＧインデックスをいくつかの物理ＲＢＧにマッピングすべく、複数のマッピング関数の中から１つのマッピング関数を選択し、
前記マッピング関数を用いて、前記論理ＲＢＧインデックスを前記いくつかの物理ＲＢＧにマッピングし、
前記いくつかの物理ＲＢＧの少なくとも１つのサブセットにおいて受信された情報を格納する一方で、前記いくつかの物理ＲＢＧを除いて、少なくともいくつかの物理ＲＢＧにおいて情報を破棄する
ＵＥ。
【請求項２５】
前記ハードウェア処理回路は更に、進化型ノードＢ（ｅＮＢ）からの構成に基づいて、前記マッピング関数を選択する、請求項２４に記載のＵＥ。
【請求項２６】
前記マッピング関数は、連続であるべき前記いくつかの物理ＲＢＧを選択する、請求項２４又は２５に記載のＵＥ。
【請求項２７】
前記マッピング関数は、前記物理ＲＢＧの少なくともいくつかが連続しないように、前記いくつかの物理ＲＢＧを選択する、請求項２４から２６の何れか１項に記載のＵＥ。
【請求項２８】
前記ＲＮＴＩは、
セル無線ネットワーク一時識別子（Ｃ−ＲＮＴＩ）と、
ランダムアクセスネットワーク一時識別子（ＲＡ−ＲＮＴＩ）と、
ページングネットワーク一時識別子（Ｐ−ＲＮＴＩ）、又は
無線フレーム、サブフレーム、又はスロットのうちの少なくとも１つを備える時間メトリックに基づいて変化する時変ＲＮＴＩ、
のうち１又は複数を備える、請求項２４から２７の何れか１項に記載のＵＥ。
【請求項２９】
複数の信号を送信及び受信の少なくとも一方をすべく少なくとも１つのアンテナを更に備え、前記ハードウェア処理回路は、前記少なくとも１つのアンテナに結合された送受信機を備える、請求項２４から２８の何れか１項に記載のＵＥ。
【請求項３０】
ハードウェア処理回路を備えるユーザ機器（ＵＥ）であって、
情報を前記ＵＥに送信すべく、進化型ノードＢ（ｅＮＢ）に対する帯域幅内の利用可能ないくつかのリソースブロック群（ＲＢＧ）サブセットを計算し、
前記ＵＥに対する無線ネットワーク一時識別子（ＲＮＴＩ）、及び前記利用可能ないくつかのＲＢＧサブセットに基づいて、前記ＵＥに対する論理ＲＢＧインデックスを計算し、
前記進化型ノードＢ（ｅＮＢ）からの構成に基づいてマッピング関数を選択し、
前記マッピング関数を用いて、前記論理ＲＢＧインデックスをいくつかの物理ＲＢＧにマッピングし、
前記いくつかの物理ＲＢＧの少なくとも１つのサブセットにおいて受信された情報を格納する一方で、前記いくつかの物理ＲＢＧを除いて、少なくともいくつかの物理ＲＢＧにおいて情報を破棄する
ＵＥ。
【請求項３１】
デバイスによって実行されるときに、前記デバイスに、
情報をユーザ機器（ＵＥ）に送信すべく、進化型ノードＢ（ｅＮＢ）に対する帯域幅内の利用可能ないくつかのリソースブロック群（ＲＢＧ）サブセットを計算することと、
前記ＵＥに対する無線ネットワーク一時識別子（ＲＮＴＩ）及び利用可能な前記いくつかのＲＢＧサブセットに基づいて、前記ＵＥに対する論理ＲＢＧインデックスを計算することと、
前記論理ＲＢＧインデックスをいくつかの物理ＲＢＧにマッピングすべく、複数のマッピング関数の中から、前記物理ＲＢＧが連続であるか又は少なくとも部分的に非連続であるかのいずれかであるように、１つのマッピング関数を選択することと、
前記マッピング関数を用いて、前記論理ＲＢＧインデックスを前記いくつかの物理ＲＢＧにマッピングすることと、
前記いくつかの物理ＲＢＧの少なくとも１つのサブセットにおいて受信された情報を格納する一方で、前記いくつかの物理ＲＢＧを除いて、少なくともいくつかの物理ＲＢＧにおいて情報を破棄することと、
を備える複数の動作を実行させる、プログラム。
【請求項３２】
前記デバイスによって実行されるときに、前記デバイスに、前記ｅＮＢから受信された構成情報に基づいて、前記マッピング関数を更に選択させる、請求項３１に記載のプログラム。
【請求項３３】
デバイスによって実行されるときに、前記デバイスに、
情報をユーザ機器（ＵＥ）に送信すべく、進化型ノードＢ（ｅＮＢ）に対する帯域幅内の利用可能ないくつかのリソースブロック群（ＲＢＧ）サブセットを計算することと、
前記ＵＥに対する無線ネットワーク一時識別子（ＲＮＴＩ）及び利用可能な前記いくつかのＲＢＧサブセットに基づいて、前記ＵＥに対する論理ＲＢＧインデックスを計算することと、
前記論理ＲＢＧインデックスをいくつかの物理ＲＢＧにマッピングすべく、前記ｅＮＢから受信された構成情報に基づいて、前記物理ＲＢＧが連続であるか又は少なくとも部分的に非連続であるかのいずれかであるように、マッピング関数を選択することと、
前記マッピング関数を用いて、前記論理ＲＢＧインデックスを前記いくつかの物理ＲＢＧにマッピングすることと、
前記いくつかの物理ＲＢＧの少なくとも１つのサブセットにおいて受信された情報を格納する一方で、前記いくつかの物理ＲＢＧを除いて、少なくともいくつかの物理ＲＢＧにおいて情報を破棄することと、
を備える複数の動作を実行させる、プログラム。
【請求項３４】
請求項３１から３３のいずれか１項に記載のプログラムを格納したコンピュータ可読記録媒体。
【発明の詳細な説明】
【技術分野】
【０００１】
［優先権主張］  本出願は、２０１４年３月１４日に出願され、"ＰＲＢ  Ｒｅｓｏｕｒｃｅ  Ａｌｌｏｃａｔｉｏｎ  ｉｎ  Ｌｏｗ  Ｃｏｓｔ  ＭＴＣ  ＵＥ"と題する、米国仮特許出願第６１／９５３、６１７号の優先権の利益を主張する、２０１４年１２月１７日に出願された米国特許出願第１４／５７３、３５６号の優先権の利益を主張し、それぞれの出願が、全体において本明細書に参照として組み込まれる。
【０００２】
複数の実施形態は、無線通信に関し、より具体的には、マシン型通信を用いる、ユーザ機器のための複数のリソースブロックを割り当てることに関する。いくつかの実施形態は、３ＧＰＰ  ＬＴＥ規格の１又は複数によって動作する複数のネットワークを含む、複数のセルラネットワークに関連する。
【背景技術】
【０００３】
マシン型通信（ＭＴＣ）は概して、低データ速度を有し、より遅延耐性であるという点において、ヒューマントゥーヒューマン通信と異なる。ＭＴＣユーザ機器（ＵＥ）は、電力が懸念事項であり、ＵＥのコストも懸念事項である、多くのアプリケーションで用いられる。
【図面の簡単な説明】
【０００４】
【図１】いくつかの実施形態による、代表無線ネットワークの代表信号を示す。
【０００５】
【図２】いくつかの実施形態による、図１の代表信号を受信する代表受信機を示す。
【０００６】
【図３】いくつかの実施形態による、進化型ノードＢ（ｅＮＢ）とユーザ機器（ＵＥ）との間の例示的通信を示す。
【０００７】
【図４】いくつかの実施形態による、複数のリソースブロック群（ＲＢＧ）を選択し、ＵＥと通信すべく、ｅＮＢによって実装される例示的なフロー図を示す。
【０００８】
【図５】いくつかの実施形態による、情報をＵＥに送信するのに、ｅＮＢがどの複数のリソースブロック群（ＲＢＧ）を用いたのかを特定すべく、ＵＥによって実装される例示的なフロー図を示す。
【０００９】
【図６】いくつかの実施形態に従った、例示的なシステムのシステムブロック図を示す。
【発明を実施するための形態】
【００１０】
以下の説明及び複数の図面は、具体的な複数の実施形態を十分に示すことで、当業者がそれらを実施することを可能にする。他の複数の実施形態は、構造的、論理的、電気的、プロセス的、及び他の複数の変更を組み込み得る。いくつかの実施形態の複数の部分及び複数の特徴は、他の複数の実施形態の複数の部分及び複数の特徴に含まれ得る、又はそれらに代用され得る。複数の請求項に記載される複数の実施形態は、それらの請求項の全ての利用可能な均等物を包含する。
【００１１】
複数の実施形態への様々な修正は当業者にとって容易に明らかであり、本明細書において定義される複数の一般的な原理は、発明の範囲を逸脱することなく、他の複数の実施形態及び複数の出願に適用され得る。更に、以下の説明において、様々な詳細が説明を目的として記載されている。しかし、当業者は、本発明の複数の実施形態がこれら具体的詳細の使用なくして実施され得ることを理解するだろう。他の複数の例において、複数の周知構造及び処理は、本発明の複数の実施形態の説明を、不必要に詳細な記載でもって曖昧にしないため、ブロック図の形で示されない。したがって、本開示は、示された複数の実施形態に限定されることを意図されるものではないが、本明細書において開示された複数の原理及び複数の特徴に一貫した最も広い範囲に一致しなければならない。
【００１２】
複数の３ＧＰＰ（第３世代パートナシッププロジェクト）ＬＴＥ（ロングタームエボリューション）ネットワークのような複数のセルラネットワーク上で複数のＭＴＣ  ＵＥをサポートする異なる複数の方法が論じられ、及び提案されてきた。複数のＭＴＣ  ＵＥは多くの場合、コストを重要な検討事項とする複数の状況において用いられる。しかし、ＬＴＥシグナル構造の複雑さは、ＵＥ上のＭＴＣの挙動対ヒューマントゥーヒューマン通信における相違に起因して、コストを増加するのみならず、また、ＭＴＣ  ＵＥのサポートには重要でない特定の複数のハードウェア及び／又はソフトウェアの要求を複数のＭＴＣ  ＵＥに課している。
【００１３】
本明細書において開示される複数の実施形態は、どの複数のリソースブロック（例えば、時間及び／又は周波数スロット）が通信に用いられるかを、ｅＮＢ及びＵＥの両方が事前に計算するスキームを提案する。本明細書における主要な説明は、物理ダウンリンク共有チャネル（ＰＤＳＣＨ）及び／又は物理ダウンリンク制御チャネル（ＰＤＣＣＨ）による、のようなｅＮＢからＵＥまでの通信に関する。また、主要な焦点は、より少ないデータ要求及び遅延耐性のような、固有の特性に起因するＭＴＣ  ＵＥに関するが、本明細書における複数の原理が、特定の複数の状況下で、非ＭＴＣ  ＵＥに適用され得た。ＵＥは、どの複数のブロックが、デコード前（及び／又は、受信前でさえも）にＵＥからｅＮＢに送信された情報を含んでいるのかを知っているから、ＵＥは、指定された複数のブロックにはないデータを無視、及び／又は破棄し得る。このことは、複数のＭＴＣ  ＵＥに対する受信機の複数のハードウェア要求を低減し得る、というのは、それらは、指定された複数のブロック（及び、任意の制御及び／又は他の必要な情報）においてデータを保存及び／又はバッファ処理すればよいからである。したがって、それらは、同じくらい多くのデータを格納、及び／又はバッファ処理する必要がない。
【００１４】
いくつかの実施形態において、ｅＮＢ及びＵＥは、最初に論理リソースブロックインデックスを計算し、次に、論理リソースブロックインデックスを適切な数の物理リソースブロックにマッピングすることによって、どの複数のリソースブロックが用いられるかを計算する。多くの実施形態において、論理リソースブロックインデックス及びマッピング関数は、個々の物理リソースブロックではなく、複数のリソースブロック群（ＲＢＧ）を用いる。
【００１５】
論理リソースブロックインデックスは、情報を送信するのに必要とされる複数のＲＢＧの数、そのサイズのＲＢＧサブセット数、及びセル無線ＲＮＴＩ（Ｃ−ＲＮＴＩ）、ランダムアクセスＲＮＴＩ（ＲＡ−ＲＮＴＩ）、又はページングＲＮＴＩ（Ｐ−ＲＮＴＩ）のような無線ネットワーク一時識別子（ＲＮＴＩ）に基づき得る。いくつかの実施形態において、用いられるＲＮＴＩは、（時変ＲＮＴＩのような）時間とともに変化し得、その結果、論理リソースブロックインデックスはまた、時間とともに変化する。このやり方において、ある時点に生じるＵＥ間の複数の衝突が別の時点に生じる可能性は低くなる。ＲＮＴＩを時変にさせる１つの方法は、ＲＮＴＩ及び時間の両方の関数のインデックスを計算することである。時間は、無線フレーム、無線サブフレーム、又はスロットのような様々な方法で表され得る。
【００１６】
マッピング関数は、次に、情報を送信、及び／又は受信するのに用いられる複数の物理ＲＢＧを特定するために、論理リソースブロックインデックスを複数の物理ＲＢＧにマッピングするのに用いられる。いくつかの実施形態において、マッピング関数は複数の物理ＲＢＧの連続的な割り当てをもたらし、いくつかの実施形態において、マッピング関数は連続ではない複数の物理ＲＢＧをもたらす。いくつかの実施形態においては、用いるべきマッピング関数を選択するのに論理が用いられ、一方で、他の複数の実施形態においては、事前に決定され、事前に配置され、事前に同意されたマッピング関数が用いられる。
【００１７】
図１は、代表無線ネットワークの代表信号１００を示す。代表信号１００は、時間分割モード（ＴＤＤ）、又は周波数分割モード（ＦＤＤ）のいずれかのもとＬＴＥフレーム構造を代表する。ＬＴＥのビルディングブロックは、物理リソースブロック（ＰＲＢ）であり、複数のＬＴＥ  ＰＲＢの割り当ての全ては通常、ｅＮＢでスケジューリング関数によって処理される。しかし、本発明に関して、複数のＭＴＣ  ＵＥとの通信に用いられる複数のＰＲＢは、ｅＮＢ及びＵＥの両方に知られる一連の情報を用いて計算され、その結果、ｅＮＢ及びＵＥの両方は、ＵＥと通信するのにどの複数のＰＲＢが用いられるかを計算し得る。
【００１８】
ＬＴＥネットワークにおいて、複数の送信は、複数のフレームにセグメント化される。フレーム１０２は、持続時間が１０  ｍｓｅｃ（０．０１秒）である。複数のフレームは、２０のスロット期間１０４からなり、それぞれ０．５  ｍｓｅｃ（０．０００５秒）秒である。複数のサブフレームは、２つのスロットからなり、持続時間が１．０  ｍｓｅｃ（０．００１秒）である。それぞれのスロットは、７のＯＤＦＭシンボル１０６からなり、それぞれのＯＤＦＭシンボルは、サイクリックプレフィックス１０８を有する。
【００１９】
ＬＴＥの仕様書は、１．２５ＭＨｚから２０ＭＨｚの帯域幅を収容するよう作られている。したがって、スロットにおける複数のサブキャリアの数は、総帯域幅によって決まる。したがって、所与のスロットにおいて、Ｋのサブキャリア１１０が存在し得、Ｋは帯域幅によって決まる。リソースブロック（例えば、ＰＲＢ）１１２は概して、１２のサブキャリアを有し、持続時間は１スロットである。
【００２０】
いくつかの連続的なＰＲＢは、リソースブロック群（ＲＢＧ）を構成し、リソース割り当ては、複数のＲＢＧの複数のユニットにおいて行われる。特定のＵＥへの複数のＲＢＧの割り当ては、互いに隣接する必要がなく、これにより周波数ダイバーシチが提供される。ＲＢＧサイズのＰは、それぞれのＲＢＧにおける複数のＰＲＢの数であって、帯域幅によって決まる。下記の表１は、複数のＰＲＢの数であるＮと、ＲＢＧサイズであるＰとの間の関係を示す。
【表１】
0006372723.tif 000002
【００２１】
図２は、図１の代表信号を受信する、ＵＥ２０１の代表受信機２００を示す。受信機２００は、受信機フロントエンド２０４に結合された少なくとも１つのアンテナ２０２を有し、受信機フロントエンド２０４は、信号の存在を検出し、その信号をベースバンドにミックスし、着信信号のサンプリング及びデジタル処理を実行する。サイクリックプレフィックス除去ブロック２０６は、複数のシンボルに用いられる複数のサイクリックプレフィックスを除去する。受信及びサイクリックプレフィックス除去の後、受信機は、ＤＦＴブロック２０８によって示されるように、周波数領域情報を回復するのに用いる離散フーリエ変換を実行する。受信機は、次に、ブロック２１０によって示されるように、周波数領域等化を実行し得る。この時点で、適切な情報がバッファ２１２においてバッファ処理され、複数のシステムモジュール２１４に送信され、そこでＵＥ２０１にとって関心のある情報を回復する。
【００２２】
前に論じられたとおり、ＵＥ２０１は、どの複数のＲＢＧがそこに割り当てられ、したがって、情報をｅＮＢからＵＥ２０１に送信するのに用いられるかを理解している場合、ＵＥ２０１は、関心のある情報が存在するそれらのＲＢＧを保持及び／又はバッファ処理すればよい。このことにより、本明細書に開示されているもののようなメカニズムを用いて、ＵＥ２０１に対するバッファサイズを低減し得、どの複数のＲＢＧが情報をＵＥに伝達するのに用いられるかを、ＵＥ２０１が計算出来るようにする。
【００２３】
図２において、複数のシステムモジュール２１４は、情報をＵＥ２０１に伝達するのに用いられる複数のＲＢＧを計算し、制御信号２１６は、ＵＥ２０１にとって関心のあるそれらのＲＢＧのみをバッファ２１２に保持するシステムを表す。ＵＥ２０１にとって関心のある複数のＲＢＧは、関連情報を含むべく計算されるそれらのＲＢＧのみならず、例えば、制御、又はＵＥ２０１にとって関心のある他の情報を含み得る他の複数のＲＢＧをも含み得ることに留意されたい。
【００２４】
図３は、ｅＮＢ３００とＵＥ３０２との間の例示的通信を示す。ｅＮＢ３００は、ＭＴＣ  ＵＥと通信をするときには以下のことを用い得、他のＵＥと通信するときはには「通常の」プロシージャを用い得る。したがって、最初のステップ（図示せず）は、どのタイプのＵＥが通信中であるか否かを特定すべきであり得、それがＭＴＣ  ＵＥ（又は、説明されたプロシージャを用いる他のＵＥ）である場合、説明のとおりに進むべきであり得る。下記の方法において、通信とは、ＰＤＳＣＨ及び／又はＰＤＣＣＨチャネルによる、のようなｅＮＢ３００からＵＥ３０２までのことである。したがって、（複数のＲＢＧの数などのような）複数のパラメータは、用いられているチャネルにおいてそれらのパラメータを参照する。
【００２５】
ｅＮＢ３００は、最初に、どの複数のＲＢＧが、ＵＥ３０２に伝達するのに用いられるかを計算するのに必要とされる複数の入力パラメータを特定する。以下の図４を併せて論じられるように、複数の入力パラメータは、任意の組み合わせにおいて以下のうち１又は複数を含み得る。
【００２６】
１）帯域幅（ＮＲＢＧ）において利用可能な複数のＲＢＧの総数。
【００２７】
２）ＵＥ（ＰＲＢｍａｘ）に割り当てられる複数のＰＲＢの最大数。
【００２８】
３）ＲＢＧサイズ（Ｐ）。Ｐは、ＲＢＧあたりの複数のＰＲＢの数を表し、例えば、仕様書３ＧＰＰ  ＴＳ  ３６．２１３  Ｖ１１．３．０（以下、ＴＳ３６．２１３）において定義され、本明細書における表１において再現される。
【００２９】
４）ＵＥ３０２のＲＮＴＩ。
【００３０】
５）無線フレーム、サブフレーム、スロット、又は他の時間メトリックのような時間メトリック。
【００３１】
複数の入力パラメータは、ＵＥ３０２と通信するのに用いられるであろう複数のＲＢＧを計算するのに用いられ、ＲＢＧ選択ブロック３０６によって示される。複数の入力パラメータがどのように用いられて、ＵＥと通信するのに用いられる複数のＲＢＧを計算するのかという詳細については、以下の図４を併せて論じられる。
【００３２】
最後に、必要とされる情報は、送信ブロック３０８によって示されるように、選択された複数のＲＢＧで送信される。送信信号は、３１０によって示される複数の計算されたＲＢＧとともに、３０９によって示される。
【００３３】
ＵＥ３０２は、複数の同一入力パラメータ及びｅＮＢ３００へのアクセスを有するため、ＵＥ３０２はまた、ｅＮＢ３００と同様に、同一の方法を用いて、複数のＲＢＧを計算し得る。したがって、ＵＥ３０２は、ブロック３１２に示されるように複数の入力パラメータを得る。以下の図５を併せて論じられるように、複数の入力パラメータは、任意の組み合わせにおける以下のうち１又は複数を含み得る。
【００３４】
１）帯域幅（ＮＲＢＧ）において利用可能な複数のＲＢＧの総数。
【００３５】
２）ＵＥ（ＰＲＢｍａｘ）に割り当てられる複数のＰＲＢの最大数。
【００３６】
３）ＲＢＧサイズ（Ｐ）。Ｐは、ＲＢＧあたりの複数のＰＲＢの数を表し、例えば、仕様書３ＧＰＰ  ＴＳ  ３６．２１３  Ｖ１１．３．０において定義され、本明細書における表１において再現される。
【００３７】
４）ＵＥ３０２のＲＮＴＩ。
【００３８】
５）無線フレーム、サブフレーム、スロット、又は他の時間メトリックのような時間メトリック。
【００３９】
ＵＥ３０２は、次に、ブロック３１４において、ｅＮＢ３００によってＵＥ３０２に送信される情報のような、関心のある情報を有するであろう複数のＲＢＧを特定する。ＵＥ３０２は、次に、信号を受信し、情報を、特定された複数のＲＢＧの少なくとも１つのサブセットに保持する。さらに、又は代替的に、ＵＥ３０２はまた、情報を、制御情報、又は関心のある他の情報を含む複数のＲＢＧにおいて保持し得る。
【００４０】
図４は、ＰＤＳＣＨ、及び／又はＰＤＣＣＨによる、のようなＵＥと通信をするのに複数のリソースブロック群（ＲＢＧ）を選択すべく、いくつかの実施形態においてｅＮＢによって実装される例示的なフロー図４００を示す。図４に示された方法は、操作４０２で開始し、操作４０４へと進み、そこでは、ｅＮＢは、ｅＮＢが情報をＭＴＣ  ＵＥ又は他の適切なＵＥへと送信するのに利用可能ないくつかのＲＢＧサブセットを計算する。このサブセットは、関係によって計算され、
【００４１】
【数１】
0006372723.tif 000003
【００４２】
式中、ＲＢＧＳＵＢは、ｅＮＢが情報をＭＴＣ  ＵＥに送信するのに利用可能な複数のＲＢＧサブセットの数であって、
【００４３】
ＮＲＢＧは、システム帯域幅において利用可能な複数のＲＢＧの総数であって、
【００４４】
ＲＢＧＮＥＥＤは、複数のＭＴＣ  ＵＥに割り当てられる複数の最大ＰＲＢを送信するのに必要とされる複数のＲＢＧの数であって、
【００４５】
【数２】
0006372723.tif 000004
は、引数以下の最大整数をもたらす「切り捨て」オペレータである（例えば、１．９は１に設定される）。
【００４６】
ＮＲＢＧは、（帯域幅に関連する）複数のＰＲＢの数、及びＲＢＧサイズによって特定され、ＰＲＢ数をＲＢＧサイズによって分割し、切り上げオペレータをその結果に適用することによって、計算され得る。例えば、複数のＰＲＢの数が１１０で、ＲＢＧサイズが４である場合、以下となる。
【数３】
0006372723.tif 000005
【００４７】
ＲＢＧＮＥＥＤは、複数のＭＴＣ  ＵＥに割り当てられた複数の最大ＰＲＢ（ＰＲＢｍａｘ）を送信するのに必要とされる複数のＲＢＧの数に基づいて計算される。換言すると、
【００４８】
【数４】
0006372723.tif 000006
【００４９】
式中、ＰＲＢｍａｘは、ＭＴＣ  ＵＥに対する複数の最大割り当てＰＲＢであって、
【００５０】
Ｐは、例えば、表１、及び／又はＴＳ３６．２１３からのＲＢＧサイズであって、
【００５１】
【数５】
0006372723.tif 000007
は、引数以上の最小整数をもたらす、「切り上げ」オペレータである（例えば、１．１は２と設定される）。
【００５２】
一般的に、ＰＲＢｍａｘは、規格によって特定され、（ｅＮＢ、又は他のコアネットワークエンティティのような）エンティティによって設定され、ＵＥに送信され、及び／又は何らかの方法においてＵＥ及びｅＮＢによって同意され得る。一実施形態において、ＰＲＢｍａｘは、５に設定される。別の実施形態において、ＰＲＢｍａｘは、６に設定される。他の複数の実施形態において、ＰＲＢｍａｘは、いくつかの他の値に設定される。
【００５３】
ひとたび複数のＲＢＧサブセット（ＲＢＧＳＵＢ）の総数が、上記で特定されたように計算されると、ｅＮＢは、操作４０６において、論理ＲＢＧインデックス（ＩＲＢＧ）を計算する。論理ＲＢＧインデックスは、ＲＮＴＩ、及び複数のＲＢＧサブセットの総数に基づいて計算され得る。例えば、
【００５４】
（３）ＩＲＢＧ＝ＲＮＴＩ  ｍｏｄ  ＲＢＧＳＵＢであって、
【００５５】
式中、ＲＮＴＩは、Ｃ−ＲＮＴＩ、Ｐ−ＲＮＴＩ、ＲＡ−ＲＮＴＩ、時変ＲＮＴＩなどのような、対象のＵＥに対するＲＮＴＩであって、
【００５６】
ＲＢＧＳＵＢは、上記数式（１）で計算されたような複数のＲＢＧサブセットの総数である。 
【００５７】
同一のＲＮＴＩを有する複数のＵＥが、スモールセルｅＮＢ及びマクロセルｅＮＢのそれぞれが１つのＵＥをサーブする時のような、２つの異なるｅＮＢによってサーブされるとき、及び両方のｅＮＢが、そのＵＥについて同一のＲＮＴＩを用いる場合、２つのｅＮＢは、同一の論理ＲＢＧインデックスを計算し、同一のマッピングされた複数のＲＢＧで情報を送信するよう試みるだろう。セル間干渉の確率を低減すべく、いくつかの実施形態は、物理セルＩＤを関数に導入し、その結果、ｌＲＢＧの計算に用いられるＲＮＴＩが、ＲＮＴＩとセルＩＤとの合計となる。この方法で、２つのｅＮＢに対する異なる複数のセルＩＤは、２つの異なるｅＮＢに対して計算される異なるｌＲＢＧをもたらすであろう。したがって、ＩＲＢＧに対する数式は、
【００５８】
（３ａ）ＩＲＢＧ＝（ＲＮＴＩ＋Ｃｅｌｌ ＩＤ）  ｍｏｄ  ＲＢＧＳＵＢである。
【００５９】
いくつかの実施形態は、時間とともに変化しないＲＮＴＩではなく、時変ＲＮＴＩを用いる。時変ＲＮＴＩ（ＲＮＴＩｋ）の計算は、ＲＮＴＩ（例えば、Ｃ−ＲＮＴＩ、Ｐ−ＲＮＴＩ、ＲＡ−ＲＮＴＩ等）及び時間メトリックを入力としてとり、適切な長さの時変ＲＮＴＩを出力する、疑似ランダム関数の出力を用いて実現され得る。時変ＲＮＴＩ（ＲＮＴＩｋ）を計算する１つのプロシージャは、３ＧＰＰ  ＴＳ  ３６．２１３  Ｖ１１．０．０、セクション９．１において、既に以下のように特定されている、
【００６０】
（４）ＲＮＴＩｋ＝Ａ×ＲＮＴＩＫ−１  ｍｏｄ  Ｄであって、
【００６１】
式中、Ａ＝３９８２７であって、
【００６２】
Ｄ＝６５５３７であって、
【００６３】
ｋは、無線フレーム、サブフレーム、スロット等のような時間メトリックを表す。換言すると、ｋ番目の無線フレーム、サブフレーム、スロット等に対する新たなＲＮＴＩｋを計算する。
【００６４】
ＲＮＴＩ０は、ゼロに等しくなるべきではないので、ＲＮＴＩ０が選択基準に基づいてゼロである場合、ＲＮＴＩ０は、ｅＮＢ及びＵＥの両方が用いるプロシージャに従って、非ゼロに変更されるべきである。このことは、ＲＮＴＩ０がゼロに上がるとき、できるだけシンプルに１又は（セルＩＤのような）いくつかの他の値に等しくなるようにＲＮＴＩ０を設定し得る。上述したように、同一のＲＮＴＩを有する複数のＵＥが２つの異なるｅＮＢによってサーブされる場合、ＲＮＴＩ＋セルＩＤに等しいＲＮＴＩ０を設定することは、セル間干渉の確率を低減するのに役立ち得る。加えて、数式（３）の代わりに数式（３ａ）を用いることによって、のようにセルＩＤを用いることが望ましいとき、複数の実施形態は、必ずしも、セルＩＤを時変ＲＮＴＩｋのそれぞれのイテレーションに追加する必要はない。いくつかの実施形態において、ＲＮＴＩ０は、ＲＮＴＩ＋セルＩＤに設定され、ＲＮＴＩｋに対するイテレーションは、そこから、数式（３ａ）の代わりに数式（３）を用いて進む。換言すると、最初のイテレーション（ＲＮＴＩ０）に対して、数式（３ａ）が用いられ、最初のイテレーションの後で、数式（３）が用いられる。
【００６５】
図４に戻り、論理ＲＢＧインデックス（ｌＲＢＧ）が操作４０６において計算された後、ｅＮＢは、次に、データを送信するのにどの複数の物理ＲＢＧが用いられるのかを特定すべく、論理ＲＢＧインデックスを、一連の物理ＲＢＧにマッピングする。マッピングは、いくつかの異なる関数によって実現され得る。いくつかの実施形態において、ｅＮＢは、ｅＮＢ及び対象のＵＥの両方に知られるいくつかのパラメータ、及び／又はロジックに基づいて、異なる複数のマッピング関数の中から１つのマッピング関数を選択し得る。任意のそのような選択は、操作４０８によって表される。一例として、ＵＥは、最初にデフォルトマッピングを用いるよう設定され得る。ひとたび接続がセットアップされると、ｅＮＢは、異なるマッピング関数を用いるべく、ＵＥを構成するよう、無線リソース制御（ＲＲＣ）シグナリングを用い得る。更なる例として、いくつかの実施形態において、ＵＥによって用いられるデフォルトマッピングは、周波数において複数の割り当てＲＢＧの分散をもたらすマッピングである。他の複数の実施形態において、異なるデフォルトマッピングが用いられる。いくつかの実施形態において、１つのマッピング関数のみが用いられるので、操作４０８は実行されない。
【００６６】
（選択ロジックを採用する複数の実施形態に対して）マッピング関数が選択された後で、又は（選択ロジックを採用しない複数の実施形態に対して）論理ＲＢＧインデックスが計算された後で、マッピングは、マッピング関数に従って、操作４１０によって実行される。以下は、論理ＲＢＧインデックス（ＩＲＢＧ）を、複数の物理ＲＢＧにマッピングするのに用いられ得る複数のマッピング関数の複数の例を表す。上述したように、いくつかの実施形態は、操作４１０において用いる１つのマッピング関数を特定すべく、ロジックを用い、一方で、他の複数の実施形態は、選択ロジックを有さない事前に定義された、又は事前に決定されたマッピング関数を用いる。
【００６７】
論理ＲＢＧインデックス（ＩＲＢＧ）を複数の連続又は非連続ＲＢＧにマッピングする複数のマッピング関数が作成され得る。論理ＲＢＧインデックス（ＩＲＢＧ）を複数の非連続ＲＢＧにマッピングすることの利点は、複数のＲＢＧは、周波数にわたり拡散される可能性がより高いことであり、このことは、周波数ダイバーシチに対していくつかのメリットを提供する。
【００６８】
論理ＲＢＧインデックス（ＩＲＢＧ）を複数の物理ＲＢＧにマッピングするであろう１つのマッピング関数が、以下の関係によって与えられる。
【００６９】
（５）  ＩＰＲＢＧ＝ＩＲＢＧ×ＲＢＧＮＥＥＤ＋ｊであって、
【００７０】
式中、ｊは、ゼロから、（ＲＢＧＮＥＥＤ−１）までであって、
【００７１】
ＲＢＧＮＥＥＤは、複数のＭＴＣ  ＵＥに割り当てられる複数の最大ＰＲＢを送信するのに必要とされる複数のＲＢＧの数であって、上記の数式（２）によって与えられ、
【００７２】
ＩＲBＧは、論理ＲＢＧインデックスであって、
【００７３】
ＩＰＲBＧは、物理ＲＢＧインデックス（つまり、用いられるべき物理ＲＢＧの識別）である。
【００７４】
数式（５）のマッピング関数は、論理ＲＢＧインデックスを、複数の連続物理ＲＢＧインデックスにマッピングする。
【００７５】
論理ＲＢＧインデックス（ＩＲＢＧ）を複数の物理ＲＢＧにマッピングするであろう別のマッピング関数は、以下の関係によって与えられる。
【００７６】
（６）ＩＰＲＢＧ＝ＩＲＢＧ＋ｊ×ＲＢＧＳＵＢであって、
【００７７】
式中、ｊは、０から（ＲＢＧＮＥＥＤ−１）であって、 
【００７８】
ＲＢＧＮＥＥＤは、複数のＭＴＣ  ＵＥに割り当てられる複数の最大ＰＲＢを送信するのに必要とされる複数のＲＢＧの数であって、上記の数式（２）によって与えられ、
【００７９】
ＲＢＧＳＵＢは、上記の数式（１）によって計算されるような複数のＲＢＧサブセットの総数であって、
【００８０】
ＩＲBＧは、論理ＲＢＧインデックスであって、
【００８１】
ＩＰＲBＧは、物理ＲＢＧインデックス（つまり、用いられるべき物理ＲＢＧの識別）である。 
【００８２】
数式（６）のマッピング関数は、論理ＲＢＧインデックスを複数の非連続物理ＲＢＧインデックスにマッピングする。
【００８３】
［例］  以下では、論理ＲＢＧインデックスを計算し、次に、異なる複数のマッピング関数を用いて、論理ＲＢＧインデックスを複数の物理ＲＢＧにマッピングする複数の例を表す。
【００８４】
例１：ＰＲＢmax＝１５、ＮＰＲＢ＝１１０
【００８５】
ＮＰＲＢ＝１１０、ＮＲＢＧ＝２８、Ｐ＝４（表１から）を有する。   数式（２）からＲＢＧＮＥＥＤを計算することは、以下をもたらす。
【００８６】
【数６】
0006372723.tif 000008
【００８７】
数式（１）は次に、ＲＢＧＳＵＢを以下として与える。
【００８８】
【数７】
0006372723.tif 000009
【００８９】
ＲＮＴＩについて、３つのＵＥを検討し、ＵＥ１は、ＲＮＴＩ＝７を有し、ＵＥ２はＲＮＴＩ＝２を有し、ＵＥ３はＲＮＴＩ＝２１を有する。この状況において、数式（３）に従ってそれぞれについてＩＲＢＧを計算することは、以下をもたらす。
【００９０】
ＵＥ１：ＩＲＢＧ＝７  ｍｏｄ  ７＝０
【００９１】
ＵＥ２：ＩＲＢＧ＝２  ｍｏｄ  ７＝２
【００９２】
ＵＥ３：ＩＲＢＧ＝２１  ｍｏｄ  ７＝０
【００９３】
したがって、ＵＥ１及びＵＥ３は同一インデックスを有するので、それらは同一の一連の物理ＲＢＧにマッピングされる。数式（５）のマッピング関数を適用し、我々は、以下の一連の物理ＲＢＧを取得する。
【表２】
0006372723.tif 000010
【００９４】
数式（６）のマッピング関数を適用すると、我々は、以下の一連の物理ＲＢＧを取得する。
【表３】
0006372723.tif 000011
【００９５】
ＵＥに対するスタティックなＲＮＴＩではなく、我々が数式（４）の時変ＲＮＴＩｋを適用すると、我々は、最初の３つのイテレーション（例えば、ｋ＝０、１、２）に対して、以下のＲＮＴＩを有したであろう。
【表４】
0006372723.tif 000012
【００９６】
数式（３）においてこれらのＲＮＴＩのそれぞれを用いることは、表５に示されるように、それぞれの時間メトリックのｋで、ＲＮＴＩのそれぞれに対する論理ＲＢＧインデックスを与える。
【表５】
0006372723.tif 000013
【００９７】
論理ＲＢＧインデックスは、次に、以下の表６及び表７に示されるように、数式（５）又は（６）を用いて、複数の物理ＲＢＧインデックスにマッピングされ得る。これらの表は、それぞれ、数式（５）及び（６）を用いて、論理ＲＢＧインデックス（ＩＲＢＧ）に対する物理ＲＢＧインデックス（ＩＰＲＢＧ）を示す。本例に示されるように、時変ＲＮＴＩは、ＲＮＴＩに基づいて、複数のＵＥの中に生じるコンフリクトの再発生を低減するのに役立つ。
【表６】
0006372723.tif 000014
【表７】
0006372723.tif 000015
【００９８】
表５における情報を、表６又は表７のものに結合することは、情報をそれぞれの時間ステップ（ｋ＝０、１、及び２）に対するＵＥ１、ＵＥ２、及びＵＥ３に送信するのに用いられるであろう複数の物理ＲＢＧを与える。時間ｋ＝０で前述のように、ＵＥ１とＵＥ２との間にコンフリクトがあり、両方が０の論理ＲＢＧインデックスを有する。しかし、ｋ＝１で、ＵＥ１は２の論理ＲＢＧインデックスを有し、ＵＥ２は５の論理ＲＢＧインデックスを有し、ＵＥ３は６の論理ＲＢＧインデックスを有する。数式（５）におけるマッピング関数について、このことは、ＵＥ１が複数の物理ＲＢＧ８から１１において情報を受信するであろうということを意味する。ＵＥ２は、複数の物理ＲＢＧ２０から２３において情報を受信し、ＵＥ３は、複数の物理ＲＢＧ２４から２７において情報を受信する。したがって、ｋ＝１及び２に対するコンフリクトは生じない。マッピング数式（６）はまた、ｋ＝１及び２に対するコンフリクトをもたらさない。
【００９９】
図４に戻り、上述したように、操作４１０において論理から物理ＲＢＧインデックスへのマッピングが実現された後で、ｅＮＢは特定された複数の物理ＲＢＧの間に所望の情報を送信し、方法は４１６で終了する。
【０１００】
図５は、ｅＮＢが、情報をＭＴＣ  ＵＥに送信するのにどの複数のＲＢＧを用いてきたかを特定すべく、ＭＴＣ  ＵＥのようなＵＥによって実装される例示的なフロー図５００を示す。ＵＥはデータを送信したｅＮＢと同一の選択に達すべく複数の操作を実行しているので、図５における複数の操作の多くは、図４を併せて前に説明された複数の操作に対応する。そのようなものとして、上記の複数の説明を繰り返す必要はないだろう。
【０１０１】
フロー図は、操作５０２で開始し、操作５０４に進む。そこでは、ＵＥは、ｅＮＢが情報をＭＴＣ  ＵＥ又は他の適切なＵＥに送信するのに利用可能ないくつかのＲＢＧサブセット（ＲＢＧＳＵＢ）を計算する。このサブセットは、上記数式（１）で与えられた関係によって計算される。上記で説明されたとおり、このサブセットは、ＭＴＣ  ＵＥ（ＲＢＧＮＥＥＤ）に対する複数の最大ＰＲＢを送信するのに必要とされる長さのＲＢＧのグループがいくつ帯域幅に存在するかを表す。切り上げオペレータが数式（１）において用いられるので、複数のグループの１つは、いくつかの状況においてＲＢＧＮＥＥＤよりも、より短い長さであり得る。しかし、より短いグループは、方法を目的として、完全な長さとしてカウントされる。
【０１０２】
ひとたびＲＢＧサブセット（ＲＢＧＳＵＢ）が数式（１）に従って計算されると、論理ＲＢＧインデックス（ＩＲＢＧ）は、特定の実施形態が、セルＩＤをＲＮＴＩに追加するかどうかに応じて、数式（３）又は（３ａ）に従って計算される。このことは、操作５０６において示される。
【０１０３】
上記で説明されたとおり、いくつかの実施形態は、論理ＲＢＧインデックスを一連の物理ＲＢＧインデックスにマッピングすべくマッピング関数を選択するのにロジックを用いる。操作５０８は、この選択を示す。そのような選択ロジックは、上記図４を併せて、操作４０８に説明されたように動作し得る。
【０１０４】
論理ＲＢＧインデックス（ＩＲＢＧ）は、操作５１０において、（どの複数の物理ＲＢＧを用いるかを特定する）複数の物理ＲＢＧインデックスにマッピングされる。マッピングは、例えば、実施形態に応じて、数式（５）又は（６）を用いて実行され得る。
【０１０５】
操作５１０において特定される複数の物理ＲＢＧ、及び、関心を引く他の情報を含む任意の追加の複数のＲＢＧ（制御情報など）は、現在はＵＥに知られている。ＵＥは次に、操作５１０において特定された複数の物理ＲＢＧ、及び関心を引く他の複数のＲＢＧにおいてデータを保持すべく、その受信機を調整する。関心を引く情報を含まない他の複数のＲＢＧは、破棄され得る。これらの機能は、操作５１２によって表される。
【０１０６】
関心を引く情報を有する複数のＲＢＧのみを保持するという処理は、異なる複数の受信機実装において異なって実行されるであろう。殆どの複数の例において、それは、どのようにＤＦＴ及び／又は周波数等化が実装されるかによって決まるであろう。多くの複数の実装において、ＵＥを対象とする情報を保持しない複数のＲＢＧにおける情報は破棄され得、格納及び／又はバッファ処理され得ない。このことは、本明細書において複数の方法を実装する複数のＵＥが、ＤＦＴ及び／又は周波数等化の後に格納及び／又はバッファ処理される情報量を低減出来るようにする、というのは、保持されるべきデータの量が、関心を引く情報が存在し得る全ての可能な複数のＲＢＧを格納しなければならない受信機より少ないからである。このことは、順に、情報に対するバッファ及び／又は記憶メモリに関して、複数のハードウェア要求を低減する。
【０１０７】
図６は、いくつかの実施形態に従って、例示的なシステムのシステムブロック図を示す。図６は、デバイス６００のブロック図を示す。そのようなデバイスは、例えば、図１から５において説明された複数のｅＮＢ又は複数の自律的ｅＮＢの何れかのようなｅＮＢであり得る。そのようなデバイスはまた、例えば、図１から５を併せて説明された複数のＵＥのようなＵＥであり得る。
【０１０８】
デバイス６００は、プロセッサ６０４、メモリ６０６、送受信機６０８、複数のアンテナ６１０、複数の命令６１２、６１４、及び場合によって他の複数のコンポーネント（図示せず）を含み得る。
【０１０９】
プロセッサ６０４は、１又は複数のセントラルプロセッシングユニット（ＣＰＵ）、グラフィクプロセッシングユニット（ＧＰＵ）、アドバンストプロセッシングユニット（ＡＰＵ）、又はこれらの様々な組み合わせを備える。プロセッサ６０４は、デバイス６００に対する処理及び制御機能を提供する。メモリ６０６は、デバイス６００に対する複数の命令９１４及びデータを格納するように構成された１又は複数のメモリユニットを備える。図４及び５の複数のフロー図のような、本明細書において開示される複数の方法、及び本明細書において説明される他の機能は、開示を併せて動作するデバイス６００のプロセッサ６０４、及び他の複数のコンポーネントを一時的に又は永久にプログラム化すべく、ソフトウェアにおいて実装され得る。
【０１１０】
送受信機６０８は、ＭＴＣ  ＵＥを含む適切なｅＮＢ又はＵＥに対して、多入力多出力（ＭＩＭＯ）通信をサポートするＭＩＭＯアンテナを含む、１又は複数の送受信機を備える。デバイス６００について、送受信機６０８は、複数の送信を受信し、及び複数の送信を送信する。送受信機６０８は、実装に応じて、ＭＴＣ  ＵＥ、ｅＮＢ、又は他のＵＥに対して必要に応じて図２を併せて開示されるものような受信機を含む。送受信機６０８は、デバイスにとって必要に応じて、アンテナ又は複数のアンテナを表す複数のアンテナ６１０に結合される。
【０１１１】
複数の命令６１２、６１４は、コンピューティングデバイス（又は機械）上で実行される複数の命令又はソフトウェアの１又は複数のセットを備え、そのようなコンピューティングデバイス（又は機械）に、複数のｅＮＢ、ＭＴＣ  ＵＥ、又は他のＵＥ、上記のフロー図などを併せて説明された複数の動作のような、本明細書において論じられた複数の方法の何れかを実行させる。（複数のコンピュータ又は機械実行可能な命令をも指す）複数の命令６１２、６１４は、デバイス６００によるこれらの実行の間、完全に又は少なくとも部分的に、プロセッサ６０４及び／又はメモリ６０６内に存在し得る。複数の命令６１２及び６１４が別々に示され、一方で、それらは同一の全体の一部であり得る。プロセッサ６０４及びメモリ６０６はまた、機械可読記憶媒体の複数の例である。プロセッサ、メモリ、複数の命令、トランシーバ回路などの様々な組み合わせは、ハードウェア処理回路の複数の代表例である。
【０１１２】
図６において、複数の処理及び制御機能は、関連する複数の命令６１２及び６１４と共に、プロセッサ６０４によって提供されているように示される。しかし、これらは、特定の複数の動作を実行すべくソフトウェア又はファームウェアによって一時的に構成される、（例えば、汎用プロセッサ、又は他のプログラマブルプロセッサ内に包含されるような）プログラマブルロジック又は回路を備える処理回路の複数の例にすぎない。様々な実施形態において、処理回路は、特定の複数の動作を実行すべく、（例えば、専用のプロセッサ、特定用途向け集積回路（ＡＳＩＣ）、又はアレイ内に）永久に構成される専用回路又はロジックを備え得る。専用の及び永久に構成された回路において、又は、一時的に構成された回路（例えば、ソフトウェアによって構成された）において処理回路を機械的に実装するという決定は、例えば、コスト、時間、エネルギー使用量、パッケージサイズ、又は、他の複数の考慮によって行われ得ることが理解されるであろう。
【０１１３】
したがって、「処理回路」という用語は、有形のエンティティを包含すると理解されるべきで、エンティティは、特定のやり方において動作すべく、又は、本明細書において説明された特定の複数の動作を実行すべく、物理的に構築され、永久に構成され（例えば、ハードウェアに組み込まれ）、又は一時的に構成され（例えば、プログラム化され）たものである。
【０１１４】
要約書は、読み手が技術的な開示の本質及び趣旨を確認出来る要約を要求する、連邦規則集第３７巻セクション１．７２（ｂ）に従って提供される。それは、複数の請求項の範囲又は意味を限定又は解釈するのに用いられるべきではないであろうとの理解のもとに提出される。以下の複数の請求項は、ここで詳細な説明に組み込まれ、それぞれの請求項は、それ自体が、別々の実施形態として独立している。
【０１１５】
「コンピュータ可読媒体」、「機械可読媒体」等の用語は、複数の命令の１又は複数のセットを格納する単一の媒体、又は複数の媒体（例えば、集中型又は分散型データベース、及び／又は、関連する複数のキャッシュ、及び複数のサーバ）を含むものと解釈されるべきである。複数の用語はまた、機械によって実行するための一連の命令を格納、符号化、又は、搬送することが可能で、及び、機械を本開示の複数の方法の何れか１つ又は複数を実行させる、任意の媒体を含むものと解釈されたい。「コンピュータ可読媒体」、及び「機械可読媒体」という用語は、したがって、「コンピュータ記憶媒体」、「機械記憶媒体」の両方等（複数のソリッドステートメモリ、光学及び磁気媒体、又は他の複数の有形のデバイス、及び複数のキャリアを含むが、複数の信号そのもの、複数の搬送波、及び他の複数の実体のない複数のソースを除外する複数の有形のソース）、及び「コンピュータ通信媒体」、「機械通信媒体」等（複数の信号そのもの、複数の搬送波信号等を含む実体のない複数のソース）を含むものと解釈されるべきである。
【０１１６】
明確を目的として、上記の説明は、異なる複数の機能ユニット、又は複数のプロセッサを参照していくつかの実施形態を説明することを理解されたい。しかし、異なる複数の機能ユニット、複数のプロセッサ、又は複数のドメイン間の機能の任意の適した分配は、本発明の複数の実施形態を損なうことなく用いられ得ることが明らかであろう。例えば、別々の複数のプロセッサ、又は複数のコントローラによって実行されるべく示された機能は、同一のプロセッサ、又はコントローラによって実行され得る。よって、特定の複数の機能ユニットへの複数の参照は、厳格な論理、又は物理構造、又は組織を示すのではなく、説明された機能を提供するための適した手段への複数の参照としてのみ見られるべきである。
【０１１７】
本発明は、いくつかの実施形態に関連して説明されてきたが、本明細書に記載された特定の形に限定されることが意図されるものではない。当業者は、説明された複数の実施形態の様々な特徴が、発明によって組み合わせられ得ることを認識するだろう。更に、様々な修正及び変更が、発明の範囲から逸脱することなく当業者によって行われ得ることを理解されたい。
【０１１８】
以下は、様々な複数の例示的実施形態を表す。
【０１１９】
例１。ハードウェア処理回路を備える進化型ノードＢ（ｅＮＢ）であって、少なくとも、
【０１２０】
情報をマシン型通信（ＭＴＣ）ユーザ機器（ＵＥ）に送信すべく、ｅＮＢに対する帯域幅内の利用可能ないくつかのリソースブロック群（ＲＢＧ）サブセットを計算し、
【０１２１】
ＭＴＣ  ＵＥに対する無線ネットワーク一時識別子（ＲＮＴＩ）、及び利用可能ないくつかのＲＢＧサブセットに基づいて、ＭＴＣ  ＵＥに対する論理ＲＢＧインデックスを計算し、
【０１２２】
マッピング関数を用いて、論理ＲＢＧインデックスをいくつかの物理ＲＢＧにマッピングし、
【０１２３】
情報をＭＴＣ  ＵＥに送信すべく、いくつかの物理ＲＢＧの少なくとも１つのサブセットを用いるように構成された、ｅＮＢ。
【０１２４】
例２。例１のｅＮＢであって、処理回路は、論理ＲＢＧインデックスをいくつかの物理ＲＢＧにマッピングすべく、複数のマッピング関数の中から、マッピング関数を選択するように更に構成される。
【０１２５】
例３。例１又は２のｅＮＢであって、マッピング関数は、連続であるべきいくつかの物理ＲＢＧを選択する。
【０１２６】
例４。例１又は２のｅＮＢであって、マッピング関数は、物理ＲＢＧの少なくともいくつかが連続しないよう、いくつかの物理ＲＢＧを選択する。
【０１２７】
例５。例１又は２のｅＮＢであって、マッピング関数は、
【０１２８】
ＰＲＢに対するインデックス＝ＩＲＢＧ×ＲＢＧＮＥＥＤ＋ｉであって、
【０１２９】
式中、ＩＲＢＧは、論理ＲＢＧインデックスであって、
【０１３０】
ＲＢＧＮＥＥＤは、情報をＭＴＣ  ＵＥに送信するのに必要とされる複数のＲＢＧサブセットの数であって、
【０１３１】
ｉは、ゼロからＲＢＧＮＥＥＤ−１までである、形からなる。
【０１３２】
例６。例１又は２のｅＮＢであって、マッピング関数は、
【０１３３】
ＰＲＢに対するインデックス＝ＩＲＢＧ＋ｉ×ＲＢＧＳＵＢであって、
【０１３４】
式中、ＩＲＢＧは、論理ＲＢＧインデックスであって、
【０１３５】
ＲＢＧＳＵＢは、情報をＭＴＣ  ＵＥに送信すべく、ｅＮＢに対する帯域幅内の利用可能な複数のＲＢＧサブセットの数であって、
【０１３６】
ｉは、ゼロから、情報を送信するのに必要とされる複数のＲＢＧサブセットの数−１までである、形からなる。
【０１３７】
例７。例１又は２のｅＮＢであって、ＲＮＴＩは、セル無線ネットワーク一時識別子（Ｃ−ＲＮＴＩ）である。
【０１３８】
例８。例１又は２のｅＮＢであって、ＲＮＴＩは、ランダムアクセスネットワーク一時識別子（ＲＡ−ＲＮＴＩ）である。
【０１３９】
例９。例１又は２のｅＮＢであって、ＲＮＴＩは、ページングネットワーク一時識別子（Ｐ−ＲＮＴＩ）である。
【０１４０】
例１０。例１又は２のｅＮＢであって、ＲＮＴＩは、前のＲＮＴＩ、及び時間メトリックに依存する疑似ランダム関数の出力である。
【０１４１】
例１１。例１０のｅＮＢであって、時間メトリックは、無線フレーム、サブフレーム、又はスロットのうちの少なくとも１つを備える。
【０１４２】
例１２。例１０のｅＮＢであって、ＲＮＴＩは、
【０１４３】
ＲＮＴＩｋ＝Ａ×ＲＮＴＩｋ−１  ｍｏｄ Ｄであって、
【０１４４】
式中、Ａ＝３９８２７であって、
【０１４５】
Ｄ＝６５５３７であって、
【０１４６】
ｋは、時間メトリックを表す、式を用いて計算される。
【０１４７】
例１３。例１２のｅＮＢであって、ＲＮＴＩｋは、どの時間メトリックが用いられるかに応じて、ｋ番目の無線フレーム、サブフレーム、又はスロットに対するＲＮＴＩを表す。
【０１４８】
例１４。例１２のｅＮＢであって、最初のＲＮＴＩ（ＲＮＴＩ０）は、非ゼロである。
【０１４９】
例１５。進化型ノードＢ（ｅＮＢ）によって実行される方法であって、
【０１５０】
情報をマシン型通信（ＭＴＣ）ユーザ機器（ＵＥ）に送信すべく、ｅＮＢに対する帯域幅内の利用可能ないくつかのリソースブロック群（ＲＢＧ）サブセットを計算する段階と、
【０１５１】
ＭＴＣ  ＵＥに対する無線ネットワーク一時識別子（ＲＮＴＩ）、及び利用可能ないくつかのＲＢＧサブセットに基づいて、ＭＴＣ  ＵＥに対する論理ＲＢＧインデックスを計算する段階と、
【０１５２】
マッピング関数を用いて、論理ＲＢＧインデックスをいくつかの物理ＲＢＧにマッピングする段階と、
【０１５３】
情報をＭＴＣ  ＵＥに送信すべく、いくつかの物理ＲＢＧの少なくとも１つのサブセットを用いる段階とを備える方法。
【０１５４】
例１６。例１５の方法であって、論理ＲＢＧインデックスをいくつかの物理ＲＢＧにマッピングすべく、複数のマッピング関数の中からマッピング関数を選択する段階を更に備える。
【０１５５】
例１７。例１５又は１６の方法であって、マッピング関数は、連続であるべきいくつかの物理ＲＢＧを選択する。
【０１５６】
例１８。例１５又は１６の方法であって、マッピング関数は、物理ＲＢＧの少なくともいくつかが連続しないように、いくつかの物理ＲＢＧを選択する。
【０１５７】
例１９。例１５又は１６の方法であって、マッピング関数は、
【０１５８】
ＰＲＢに対するインデックス＝ＩＲＢＧ×ＲＢＧＮＥＥＤ＋ｉであって、
【０１５９】
式中、ＩＲＢＧは、論理ＲＢＧインデックスであって、
【０１６０】
ＲＢＧＮＥＥＤは、特定されたＵＥに対して情報を送信するのに必要とされる複数のＲＢＧサブセットの数であって、
【０１６１】
ｉは、ゼロからＲＢＧＮＥＥＤ−１までである、形からなる。
【０１６２】
例２０。  例１５又は１６の方法であって、マッピング関数は、
【０１６３】
ＰＲＢに対するインデックス＝ＩＲＢＧ＋ｉ×ＲＢＧＳＵＢであって、
【０１６４】
式中、ＩＲＢＧは、論理ＲＢＧインデックスであって、
【０１６５】
ＲＢＧＳＵＢは、情報をＭＴＣ  ＵＥに送信すべく、ｅＮＢに対する帯域幅内の利用可能な複数のＲＢＧサブセットの数であって、
【０１６６】
ｉは、ゼロから、情報を送信するのに必要とされる複数のＲＢＧサブセット数−１までである、形からなる。
【０１６７】
例２１。例１５又は１６の方法であって、ＲＮＴＩは、セル無線ネットワーク一時識別子（Ｃ−ＲＮＴＩ）である。
【０１６８】
例２２。例１５又は１６の方法であって、ＲＮＴＩは、ランダムアクセスネットワーク一時識別子（ＲＡ−ＲＮＴＩ）である。
【０１６９】
例２３。例１５又は１６の方法であって、ＲＮＴＩは、ページングネットワーク一時識別子（Ｐ−ＲＮＴＩ）である。
【０１７０】
例２４。例１５又は１６の方法であって、ＲＮＴＩは、前のＲＮＴＩ及び時間メトリックに依存する疑似ランダム関数の出力である。
【０１７１】
例２５。例２４の方法であって、時間メトリックは、無線フレーム、サブフレーム、又はスロットのうちの少なくとも１つを備える。
【０１７２】
例２６。例２４の方法であって、ＲＮＴＩは、
【０１７３】
ＲＮＴＩｋ＝Ａ×ＲＮＴＩｋ−１  ｍｏｄ  Ｄであって、
【０１７４】
式中、Ａ＝３９８２７であって、
【０１７５】
Ｄ＝６５５３７であって、
【０１７６】
ｋは、時間メトリックを表す、式を用いて計算される。
【０１７７】
例２７。例２６の方法であって、ＲＮＴＩｋは、どの時間メトリックが用いられるかに応じて、ｋ番目の無線フレーム、サブフレーム、又はスロットに対するＲＮＴＩを表す。
【０１７８】
例２８。複数のコンピュータ実行可能命令を格納する、少なくとも１つのコンピュータ可読記憶媒体であって、複数のコンピュータ実行可能命令は、進化型ノードＢ（ｅＮＢ）によって実行されるときに、ｅＮＢに、
【０１７９】
情報をマシン型通信（ＭＴＣ）ユーザ機器（ＵＥ）に送信すべく、ｅＮＢに対する帯域幅内の利用可能ないくつかのリソースブロック群（ＲＢＧ）サブセットを計算することと、
【０１８０】
ＭＴＣ  ＵＥに対する無線ネットワーク一時識別子（ＲＮＴＩ）、及び利用可能ないくつかのＲＢＧサブセットに基づいて、ＭＴＣ  ＵＥに対する論理ＲＢＧインデックスを計算することと、
【０１８１】
マッピング関数を用いて、論理ＲＢＧインデックスをいくつかの物理ＲＢＧにマッピングすることと、
【０１８２】
情報をＭＴＣ  ＵＥに送信すべく、いくつかの物理ＲＢＧの少なくとも１つのサブセットを用いることとを備える複数の動作を実行させる。
【０１８３】
例２９。例２８のコンピュータ可読記憶媒体であって、複数の命令は、ｅＮＢに、論理ＲＢＧインデックスをいくつかの物理ＲＢＧにマッピングすべく、複数のマッピング関数の中からマッピング関数を更に選択させる。
【０１８４】
例３０。例２８又は２９のコンピュータ可読記憶媒体であって、マッピング関数は、連続であるべきいくつかの物理ＲＢＧを選択する。
【０１８５】
例３１。例２８又は２９のコンピュータ可読記憶媒体であって、マッピング関数は、物理ＲＢＧの少なくともいくつかが連続しないように、いくつかの物理ＲＢＧを選択する。
【０１８６】
例３２。例２８又は２９のコンピュータ可読記憶媒体であって、マッピング関数は、
【０１８７】
ＰＲＢに対するインデックス＝ＩＲＢＧ×ＲＢＧＮＥＥＤ＋ｉであって、
【０１８８】
式中、ＩＲＢＧは、論理ＲＢＧインデックスであって、
【０１８９】
ＲＢＧＮＥＥＤは、特定されたＵＥに対して情報を送信するのに必要とされる複数のＲＢＧサブセットの数であって、
【０１９０】
ｉは、ゼロからＲＢＧＮＥＥＤ−１までである、形からなる。
【０１９１】
例３３。例２８又は２９のコンピュータ可読記憶媒体であって、マッピング関数は、
【０１９２】
ＰＲＢに対するインデックス＝ＩＲＢＧ＋ｉ×ＲＢＧＳＵＢであって、
【０１９３】
式中、ＩＲＢＧは、論理ＲＢＧインデックスであって、
【０１９４】
ＲＢＧＳＵＢは、情報をＭＴＣ  ＵＥに送信すべく、ｅＮＢに対する帯域幅内の利用可能な複数のＲＢＧサブセットの数であって、
【０１９５】
ｉは、ゼロから、情報を送信するのに必要とされる複数のＲＢＧサブセットの数−１までである、形からなる。
【０１９６】
例３４。例２８又は２９のコンピュータ可読記憶媒体であって、ＲＮＴＩは、セル無線ネットワーク一時識別子（Ｃ−ＲＮＴＩ）である。
【０１９７】
例３５。例２８又は２９のコンピュータ可読記憶媒体であって、ＲＮＴＩは、ランダムアクセスネットワーク一時識別子（ＲＡ−ＲＮＴＩ）である。
【０１９８】
例３６。例２８又は２９のコンピュータ可読記憶媒体であって、ＲＮＴＩは、ページングネットワーク一時識別子（Ｐ−ＲＮＴＩ）である。
【０１９９】
例３７。例２８又は２９のコンピュータ可読記憶媒体であって、ＲＮＴＩは、前のＲＮＴＩ、及び時間メトリックに依存する疑似ランダム関数の出力である。
【０２００】
例３８。例３７のコンピュータ可読記憶媒体であって、時間メトリックは、無線フレーム、サブフレーム、又はスロットのうちの少なくとも１つを備える。
【０２０１】
例３９。例３７のコンピュータ可読記憶媒体であって、ＲＮＴＩは、
【０２０２】
ＲＮＴＩｋ＝Ａ×ＲＮＴＩｋ−１  ｍｏｄ  Ｄであって、
【０２０３】
式中、Ａ＝３９８２７であって、
【０２０４】
Ｄ＝６５５３７であって、
【０２０５】
ｋは、時間メトリックを表す、式を用いて計算される。
【０２０６】
例４０。例３９のコンピュータ可読記憶媒体であって、ＲＮＴＩｋは、どの時間メトリックが用いられるかに応じて、ｋ番目の無線フレーム、サブフレーム、又はスロットに対するＲＮＴＩを表す。
【０２０７】
例４１。例３９のコンピュータ可読記憶媒体であって、最初のＲＮＴＩ（ＲＮＴＩ０）は、非ゼロである。
【０２０８】
例４２。ハードウェア処理回路を備えるマシン型通信（ＭＴＣ）ユーザ機器（ＵＥ）であって、少なくとも、
【０２０９】
情報をＭＴＣ ＵＥに送信すべく、ｅＮＢに対する帯域幅内の利用可能ないくつかののリソースブロック群（ＲＢＧ）サブセットを計算し、
【０２１０】
ＭＴＣ  ＵＥに対する無線ネットワーク一時識別子（ＲＮＴＩ）、及び利用可能ないくつかのＲＢＧサブセットに基づいて、ＭＴＣ  ＵＥに対する論理ＲＢＧインデックスを計算し、
【０２１１】
マッピング関数を用いて、論理ＲＢＧインデックスをいくつかの物理ＲＢＧにマッピングし、
【０２１２】
いくつかの物理ＲＢＧの少なくとも１つのサブセットにおいて受信された情報を格納する一方で、いくつかの物理ＲＢＧを除いて、少なくともいくつかの物理ＲＢＧにおいて情報を破棄するするように構成される。
【０２１３】
例４３。例４２のＭＴＣ  ＵＥであって、処理回路は、論理ＲＢＧインデックスをいくつかの物理ＲＢＧにマッピングすべく、複数のマッピング関数の中から、マッピング関数を選択するように更に構成される。
【０２１４】
例４４。例４２のＭＴＣ  ＵＥであって、処理回路は、進化型ノードＢ（ｅＮＢ）からの構成に基づいて、マッピング関数を選択するように更に構成される。
【０２１５】
例４５。例４２、４３又は４４のＭＴＣ  ＵＥであって、マッピング関数は、連続であるべきいくつかの物理ＲＢＧを選択する。
【０２１６】
例４６。例４２、４３又は４４のＭＴＣ  ＵＥであって、マッピング関数は、物理ＲＢＧの少なくともいくつかが連続しないように、いくつかの物理ＲＢＧを選択する。
【０２１７】
例４７。例４２、４３又は４４のＭＴＣ  ＵＥであって、マッピング関数は、
【０２１８】
ＰＲＢに対するインデックス＝ＩＲＢＧ×ＲＢＧＮＥＥＤ＋ｉであって、
【０２１９】
式中、ＩＲＢＧは、論理ＲＢＧインデックスであって、
【０２２０】
ＲＢＧＮＥＥＤは、情報をＭＴＣ  ＵＥに送信するのに必要とされる複数のＲＢＧサブセットの数であって、
【０２２１】
ｉは、ゼロからＲＢＧＮＥＥＤ−１までである、形からなる。
【０２２２】
例４８。  例４２、４３又は４４のＭＴＣ  ＵＥであって、マッピング関数は、
【０２２３】
ＰＲＢに対するインデックス＝ＩＲＢＧ＋ｉ×ＲＢＧＳＵＢであって、
【０２２４】
式中、ＩＲＢＧは、論理ＲＢＧインデックスであって、
【０２２５】
ＲＢＧＳＵＢは、情報をＭＴＣ  ＵＥに送信すべく、ｅＮＢに対する帯域幅内の利用可能な複数のＲＢＧサブセットの数であって、
【０２２６】
ｉは、ゼロから、情報を送信するのに必要とされる複数のＲＢＧサブセットの数−１までである、形からなる。
【０２２７】
例４９。例４２、４３又は４４のＭＴＣ  ＵＥであって、ＲＮＴＩは、セル無線ネットワーク一時識別子（Ｃ−ＲＮＴＩ）である。
【０２２８】
例５０。例４２、４３又は４４のＭＴＣ  ＵＥであって、ＲＮＴＩは、ランダムアクセスネットワーク一時識別子（ＲＡ−ＲＮＴＩ）である。
【０２２９】
例５１。例４２、４３又は４４のＭＴＣ  ＵＥであって、ＲＮＴＩは、ページングネットワーク一時識別子（Ｐ−ＲＮＴＩ）である。
【０２３０】
例５２。例４２、４３又は４４のＭＴＣ  ＵＥであって、ＲＮＴＩは、前のＲＮＴＩ、及び時間メトリックに依存する疑似ランダム関数の出力である。
【０２３１】
例５３。例５２のＭＴＣ  ＵＥであって、時間メトリックは、無線フレーム、サブフレーム、又はスロットのうちの少なくとも１つを備える。
【０２３２】
例５４。例５２のＭＴＣ  ＵＥであって、ＲＮＴＩは、
【０２３３】
ＲＮＴＩｋ＝Ａ×ＲＮＴＩｋ−１  ｍｏｄ  Ｄであって、
【０２３４】
式中、Ａ＝３９８２７であって、
【０２３５】
Ｄ＝６５５３７であって、
【０２３６】
ｋは、時間メトリックを表す、式を用いて計算される。
【０２３７】
例５５。例５４のＭＴＣ  ＵＥであって、ＲＮＴＩｋは、どの時間メトリックが用いられるかに応じて、ｋ番目の無線フレーム、サブフレーム、又はスロットに対するＲＮＴＩを表す。
【０２３８】
例５６。例５４のＭＴＣ  ＵＥであって、最初のＲＮＴＩ（ＲＮＴＩ０）は、非ゼロである。
【０２３９】
例５７。  ユーザ機器（ＵＥ）によって実行される方法であって、
【０２４０】
情報をＵＥに送信すべく、ｅＮＢに対する帯域幅内の利用可能ないくつかのリソースブロック群（ＲＢＧ）サブセットを計算する段階と、
【０２４１】
ＵＥに対する無線ネットワーク一時識別子（ＲＮＴＩ）、及び利用可能ないくつかのＲＢＧサブセットのに基づいて、ＵＥに対する論理ＲＢＧインデックスを計算する段階と
【０２４２】
マッピング関数を用いて、論理ＲＢＧインデックスをいくつかの物理ＲＢＧにマッピングする段階と、
【０２４３】
いくつかの物理ＲＢＧの少なくとも１つのサブセットにおいて受信された情報を格納する一方で、いくつかの物理ＲＢＧを除いて、少なくともいくつかの物理ＲＢＧにおいて情報を破棄する段階とを備える。
【０２４４】
例５８。例５７の方法であって、論理ＲＢＧインデックスをいくつかの物理ＲＢＧにマッピングすべく、複数のマッピング関数の中からマッピング関数を選択する段階を更に備える。
【０２４５】
例５９。例５７の方法であって、進化型ノードＢ（ｅＮＢ）からの構成に基づいて、マッピング関数を選択する段階を更に備える。
【０２４６】
例６０。例５７、５８又は５９の方法であって、マッピング関数は、連続であるべきいくつかの物理ＲＢＧを選択する。
【０２４７】
例６１。例５７、５８又は５９の方法であって、マッピング関数は、物理ＲＢＧの少なくともいくつかが連続しないように、いくつかの物理ＲＢＧを選択する。
【０２４８】
例６２。例５７、５８又は５９の方法であって、マッピング関数は、
【０２４９】
ＰＲＢに対するインデックス＝ＩＲＢＧ＋ｉ×ＲＢＧＮＥＥＤ＋ｉであって、
【０２５０】
式中、ＩＲＢＧは、論理ＲＢＧインデックスであって、
【０２５１】
ＲＢＧＮＥＥＤは、特定されたＵＥに対して情報を送信するのに必要とされる複数のＲＢＧサブセットの数であって、
【０２５２】
ｉは、ゼロからＲＢＧＮＥＥＤ−１までである、形からなる。
【０２５３】
例６３。例５７、５８又は５９の方法であって、マッピング関数は、
【０２５４】
ＰＲＢに対するインデックス＝ＩＲＢＧ＋ｉ×ＲＢＧＳＵＢであって、
【０２５５】
式中、ＩＲＢＧは、論理ＲＢＧインデックスであって、
【０２５６】
ＲＢＧＳＵＢは、情報をＵＥに送信すべく、ｅＮＢに対する帯域幅内の利用可能な複数のＲＢＧサブセットの数であって、
【０２５７】
ｉは、ゼロから情報を送信するのに必要とされる複数のＲＢＧサブセットの数−１までである、形からなる。
【０２５８】
例６４。例５７、５８又は５９の方法であって、ＲＮＴＩは、セル無線ネットワーク一時識別子（Ｃ−ＲＮＴＩ）である。
【０２５９】
例６５。例５７、５８又は５９の方法であって、ＲＮＴＩは、ランダムアクセスネットワーク一時識別子（ＲＡ−ＲＮＴＩ）である。
【０２６０】
例６６。例５７、５８又は５９の方法であって、ＲＮＴＩは、ページングネットワーク一時識別子（Ｐ−ＲＮＴＩ）である。
【０２６１】
例６７。例５７、５８又は５９の方法であって、ＲＮＴＩは、前のＲＮＴＩ、及び時間メトリックに依存する疑似ランダム関数の出力である。
【０２６２】
例６８。例６７の方法であって、時間メトリックは、無線フレーム、サブフレーム、又はスロットのうちの少なくとも１つを備える。
【０２６３】
例６９。  例６７の方法であって、ＲＮＴＩは、
【０２６４】
ＲＮＴＩｋ＝Ａ×ＲＮＴＩｋ−１  ｍｏｄ  Ｄであって、
【０２６５】
式中、Ａ＝３９８２７であって、
【０２６６】
Ｄ＝６５５３７であって、
【０２６７】
ｋは、時間メトリックを表す、式を用いて計算される。
【０２６８】
例７０。例６９の方法は、ＲＮＴＩｋは、どの時間メトリックが用いられるかに応じて、ｋ番目の無線フレーム、サブフレーム、又はスロットに対するＲＮＴＩを表す。
【０２６９】
例７１。例６９の方法であって、最初のＲＮＴＩ（ＲＮＴＩ０）は非ゼロである。
【０２７０】
例７２。複数のコンピュータ実行可能命令を格納する少なくとも１つのコンピュータ可読記憶媒体であって、複数のコンピュータ実行可能命令は、デバイスによって実行されるときに、デバイスに、
【０２７１】
情報をマシン型通信（ＭＴＣ）ユーザ機器（ＵＥ）に送信すべく、ｅＮＢに対する帯域幅内の利用可能ないくつかのリソースブロック群（ＲＢＧ）サブセットを計算し、
【０２７２】
ＭＴＣ  ＵＥに対する無線ネットワーク一時識別子（ＲＮＴＩ）、及び利用可能ないくつかのＲＢＧサブセットに基づいて、ＭＴＣ  ＵＥに対する論理ＲＢＧインデックスを計算し、
【０２７３】
マッピング関数を用いて、論理ＲＢＧインデックスをいくつかの物理ＲＢＧにマッピングし、
【０２７４】
いくつかの物理ＲＢＧの少なくとも１つのサブセットにおいて受信された情報を格納する一方で、物理ＲＢＧを除いて、少なくともいくつかの物理ＲＢＧにおいて情報を破棄することを備える複数の動作を実行させる。
【０２７５】
例７３。例７２のコンピュータ可読記憶媒体であって、複数の命令は、論理ＲＢＧインデックスをいくつかの物理ＲＢＧにマッピングすべく、デバイスに、複数のマッピング関数の中からマッピング関数を更に選択させる。
【０２７６】
例７４。例７２のコンピュータ可読記憶媒体であって、複数の命令は、デバイスに、進化型ノードＢ（ｅＮＢ）からの構成に基づいて、マッピング関数を更に選択させる。
【０２７７】
例７５。例７２、７３又は７４のコンピュータ可読記憶媒体であって、マッピング関数は、連続であるべきいくつかの物理ＲＢＧを選択する。
【０２７８】
例７６。例７２、７３又は７４のコンピュータ可読記憶媒体であって、マッピング関数は、物理ＲＢＧの少なくともいくつかが連続しないように、いくつかの物理ＲＢＧを選択する。
【０２７９】
例７７。例７２、７３又は７４のコンピュータ可読記憶媒体であって、マッピング関数は、
【０２８０】
ＰＲＢに対するインデックス＝ＩＲＢＧ×ＲＢＧＮＥＥＤ＋ｉであって、
【０２８１】
式中、ＩＲＢＧは、論理ＲＢＧインデックスであって、
【０２８２】
ＲＢＧＮＥＥＤは、情報をＭＴＣ  ＵＥに送信するのに必要とされる複数のＲＢＧサブセットの数であって、
【０２８３】
ｉは、ゼロからＲＢＧＮＥＥＤ−１までである、形からなる。 
【０２８４】
例７８。  例７２、７３又は７４のコンピュータ可読記憶媒体であって、マッピング関数は、
【０２８５】
ＰＲＢに対するインデックス＝ＩＲＢＧ＋ｉ×ＲＢＧＳＵＢであって、
【０２８６】
式中、ＩＲＢＧは、論理ＲＢＧインデックスであって、
【０２８７】
ＲＢＧＳＵＢは、情報をＭＴＣ  ＵＥに送信すべく、ｅＮＢに対する帯域幅内の利用可能な複数のＲＢＧサブセットの数であって、
【０２８８】
ｉは、ゼロから、情報を送信するのに必要とされる複数のＲＢＧサブセットの数−１までである、形からなる。
【０２８９】
例７９。例７２、７３又は７４のコンピュータ可読記憶媒体であって、ＲＮＴＩは、セル無線ネットワーク一時識別子（Ｃ−ＲＮＴＩ）である。
【０２９０】
例８０。例７２、７３又は７４のコンピュータ可読記憶媒体であって、ＲＮＴＩは、ランダムアクセスネットワーク一時識別子（ＲＡ−ＲＮＴＩ）である。
【０２９１】
例８１。例７２、７３又は７４のコンピュータ可読記憶媒体であって、ＲＮＴＩは、ページングネットワーク一時識別子（Ｐ−ＲＮＴＩ）である。
【０２９２】
例８２。例７２、７３又は７４のコンピュータ可読記憶媒体であって、ＲＮＴＩは、前のＲＮＴＩ、及び時間メトリックに依存する疑似ランダム関数の出力である。
【０２９３】
例８３。例８２のコンピュータ可読記憶媒体であって、時間メトリックは、無線フレーム、サブフレーム、又はスロットのうちの少なくとも１つを備える。
【０２９４】
例８４。例８２のコンピュータ可読記憶媒体であって、ＲＮＴＩは、
【０２９５】
ＲＮＴＩｋ＝Ａ×ＲＮＴＩｋ−１  ｍｏｄ  Ｄであって、
【０２９６】
式中、Ａ＝３９８２７であって、
【０２９７】
Ｄ＝６５５３７であって、
【０２９８】
ｋは、時間メトリックを表す、式を用いて計算される。
【０２９９】
例８５。例８４のコンピュータ可読記憶媒体であって、ＲＮＴＩｋは、どの時間メトリックが用いられるかに応じて、ｋ番目の無線フレーム、サブフレーム、又はスロットに対するＲＮＴＩを表す。
【０３００】
例８６。例８４のコンピュータ可読記憶媒体であって、最初のＲＮＴＩ（ＲＮＴＩ０）は、非ゼロである。
【０３０１】
例８７。  デバイスであって、
【０３０２】
少なくとも１つのアンテナと、
【０３０３】
少なくとも１つのアンテナに結合されたトランシーバ回路と、
【０３０４】
メモリと、
【０３０５】
メモリ及びトランシーバ回路に結合されたプロセッサと、
【０３０６】
メモリに格納された複数の命令とを備え、複数の命令は、実行されるときに、デバイスに、
【０３０７】
情報をマシン型通信（ＭＴＣ）ユーザ機器（ＵＥ）に送信すべく、ｅＮＢに対する帯域幅内の利用可能ないくつかのリソースブロック群（ＲＢＧ）サブセットを計算し、
【０３０８】
ＭＴＣ  ＵＥに対する無線ネットワーク一時識別子（ＲＮＴＩ）、及び利用可能ないくつかのＲＢＧサブセットに基づいて、ＭＴＣ  ＵＥに対する論理ＲＢＧインデックスを計算し、
【０３０９】
マッピング関数を用いて、論理ＲＢＧインデックスをいくつかの物理ＲＢＧにマッピングし、
【０３１０】
いくつかの物理ＲＢＧの少なくとも１つのサブセットにおいて受信された情報を格納する一方で、いくつかの物理ＲＢＧを除いて、少なくともいくつかの物理ＲＢＧにおいて情報を破棄することを備える複数の動作を実行させる。
【図１】
0006372723.tif 000016
【図２】
0006372723.tif 000017
【図３】
0006372723.tif 000018
【図４】
0006372723.tif 000019
【図５】
0006372723.tif 000020
【図６】
0006372723.tif 000021